(57)【要約】【課題】カバー上に雨または雪が溜まりにくく、かつ、カバー上に鳥または虫などがとまりにくくすることにより、電波の受信伝搬損失を低減することができるミリ波受信装置、ミリ波受信装置の取付構造およびミリ波送受信装置を提供する。【解決手段】ベース部材１３と、ベース部材１３の上面に載置されたレンズアンテナ９と、レンズアンテナ９を覆うように、レンズアンテナ９の上方に配置されたカバー１０とを備えている。レンズアンテナ９は、ベース部材１３の上面とカバー１０の内面とにより形成された空間内に配置されている。カバー１０は、先細形状を成し、空間が上方に行くほど狭くなるような一定の勾配を有する１つ以上の傾斜面を含む。カバー１０の傾斜面とベース部材１３の上面とのなす角は、６０°以上９０°以下である。【選択図】図２
2011124790.tif 000002
【特許請求の範囲】
【請求項１】
ベース部材と、
前記ベース部材の上面に載置されたアンテナ部と、
前記アンテナ部を覆うように、前記アンテナ部の上方に配置されたカバーと
を備え、
前記アンテナ部は、前記ベース部材の前記上面と前記カバーの内面とにより形成された空間内に配置され、
前記カバーは、先細形状を成し、前記空間が上方に行くほど狭くなるような一定の勾配を有する１つ以上の傾斜面を含み、
前記カバーの前記傾斜面と前記ベース部材の前記上面とのなす角は、６０°以上９０°以下である、ミリ波受信装置。
【請求項２】
前記カバーが、中空円錐状または中空角錐状に形成された、請求項１に記載のミリ波受信装置。
【請求項３】
前記カバーの外表面に、前記外表面に付着した液体が前記カバーの頂上部から前記カバーの裾部に向けて分岐されながら流れるようにする分岐部が形成された、請求項２に記載のミリ波受信装置。
【請求項４】
前記カバーの前記外表面に、前記カバーの頂上部から前記カバーの裾部の全周に亘って放射状に凸部または凹部が互いに間隔を置いて配置された前記分岐部が形成された、請求項３に記載のミリ波受信装置。
【請求項５】
前記カバーの前記外表面に、複数のΛ字状の凸部または凹部が互いに間隔を置いて配置された前記分岐部が形成された、請求項３に記載のミリ波受信装置。
【請求項６】
前記カバーは、それぞれ平面で構成された２つの前記傾斜面を含み、
２つの前記傾斜面は、互いに６０°以下の角度を成すように交差している、請求項１に記載のミリ波受信装置。
【請求項７】
前記カバーを加熱するヒータが設けられた、請求項１から６のいずれかに記載のミリ波受信装置。
【請求項８】
請求項１から７のいずれかに記載のミリ波受信装置が、前記カバーの上下方向が鉛直方向となり、かつ、前記ベース部材の前記上面と平行な方向が水平方向となるように取り付けられた、ミリ波受信装置の取付構造。
【請求項９】
請求項１から７のいずれかに記載のミリ波受信装置と、
ミリ波送信装置と
を備えた、ミリ波送受信装置。
【請求項１０】
前記アンテナ部がレンズアンテナから構成され、
前記アンテナ部の中心点および前記カバーの頂上部が、前記ミリ波送信装置から送信された電波の到達範囲内に位置している、請求項９に記載のミリ波送受信装置。
【発明の詳細な説明】
【技術分野】
【０００１】
本発明は、ミリ波受信装置、ミリ波受信装置の取付構造およびミリ波送受信装置に関し、特に、屋外に設置される、ミリ波受信装置、ミリ波受信装置の取付構造およびミリ波送受信装置に関する。
【背景技術】
【０００２】
ミリ波通信方式を利用したテレビ共同受信方式および送受信装置を開示した先行文献として、特許文献１，２がある。特許文献１，２に記載された、テレビ共同受信方式および送受信装置においては、放送信号を各家庭に無線にて配信するため、分配器および信号伝送用の長い同軸ケーブルを敷設することが不要とされている。
【０００３】
図１１は、従来のミリ波送受信装置の取付構造を模式的に示す図である。図１１に示すように、従来のミリ波送受信装置３３においては、建造物３８の屋上から側方に突出して設けられたアーム３４の先端の下面に、ミリ波送信装置３１が配置されている。ミリ波送信装置３１は、下方に向けて電波３７を送信するように設定されている。ミリ波送信装置３１から送信された電波３７は、指向性を有し、図１１に示すように、僅かに広がりながら下方に伝搬していく。
【０００４】
一方、各階のベランダ３６から側方に突出して設けられたアーム３５の先端の上面に、ミリ波受信装置３２が配置されている。複数のミリ波受信装置３２は、それぞれミリ波送信装置３１に対向するように配置されている。ミリ波受信装置３２には、電波３７を受信するアンテナ部が設けられている。
【０００５】
複数のミリ波受信装置３２のアンテナ部は、電波３７の到達領域の中に配置され、かつ、電波３７の送信方向にアンテナ部を投影した場合に、アンテナ部同士が重ならないように配置されている。アンテナ部としては、平面アンテナ、レンズアンテナおよびホーンアンテナなどが使用されている。屋外に配置されるミリ波受信装置３２においては、アンテナ部の劣化を抑制するために、耐候性を有する素材からなる半球状のカバー内にアンテナ部が収納されている。
【０００６】
図１２(Ａ)は、従来のミリ波受信装置の構造を模式的に示す上面図であり、(Ｂ)は、その断面図である。図１２(Ｂ)においては、説明の便宜上、ミリ波送信装置３１についても模式的に記載している。
【０００７】
図１２(Ａ)，（Ｂ）に示すように、従来のミリ波受信装置３２は、ベース部材４３の上面にレンズアンテナ３９が配置されている。レンズアンテナ３９の上部に半球状のカバー４０が設けられている。ベース部材４３の側面に出力端子４１が設けられている。出力端子４１は、回路基板４２ａ、アンテナ一体化回路素子４２ｂおよび図示しない回路を経由してレンズアンテナ３９に結線されている。
【０００８】
レンズアンテナ３９の頂点部３９ａと中心部３９ｂとは、鉛直方向の同一直線上に位置するように配置されている。レンズアンテナ３９の頂点部３９ａおよび中心部３９ｂは、ミリ波送信装置３１から送信された電波３７の到達領域内に位置するように配置されている。なお、図１２(Ｂ)においては、２本の破線で示した矢印の間の領域が、電波３７の到達領域である。
【先行技術文献】
【特許文献】
【０００９】
【特許文献１】特開２００９−１７５８１号公報
【特許文献２】特開２００５−５９８０号公報
【発明の概要】
【発明が解決しようとする課題】
【００１０】
ミリ波受信装置３２は、屋外に設置されるため風雨にさらされる。ミリ波受信装置３２のアンテナ部の上面に、雨が付着または雪が積もった場合には、アンテナ部において電波３７の受信伝搬損失が発生する。アンテナ部の上部に半球状のカバー４０を取り付けた場合、カバー４０の頂上部の傾斜が小さいため、カバー４０に降った雨または雪が、カバー４０の頂上部近傍に溜まりやすい。
【００１１】
カバー４０の頂上部の下方には、アンテナ部の頂点部および中心部が位置しているため、カバー４０の頂上部近傍に雨または雪が溜まることにより、アンテナ部における電波３７の受信伝搬損失が増大し、無線伝送ができない状況が生じていた。また、カバー４０が半球状などのなだらかな形状を有している場合、カバー４０上に鳥または虫などがとまりやすい。カバー４０上に鳥または虫などがとまっている場合にも、アンテナ部における電波３７の受信伝搬損失が増大し、無線伝送ができない状況が生じていた。
【００１２】
本発明は上記の問題点に鑑みなされたものであって、カバー上に雨または雪が溜まりにくく、かつ、カバー上に鳥または虫などがとまりにくくすることにより、電波の受信伝搬損失を低減することができるミリ波受信装置、ミリ波受信装置の取付構造およびミリ波送受信装置を提供することを目的とする。
【課題を解決するための手段】
【００１３】
本発明に基づくミリ波受信装置においては、ベース部材と、ベース部材の上面に載置されたアンテナ部と、アンテナ部を覆うように、アンテナ部の上方に配置されたカバーとを備えている。アンテナ部は、ベース部材の上面とカバーの内面とにより形成された空間内に配置されている。カバーは、先細形状を成し、空間が上方に行くほど狭くなるような一定の勾配を有する１つ以上の傾斜面を含む。カバーの傾斜面とベース部材の上面とのなす角は、６０°以上９０°以下である。
【００１４】
上記の構成によれば、急勾配の傾斜面を含み上方に行くほど細くなる先細形状を成すカバーをアンテナ部の上方に配置することにより、カバー上に雨または雪が溜まりにくく、かつ、カバー上に鳥または虫などがとまりにくくすることができる。その結果、アンテナ部における電波の受信伝搬損失を低減することができ、良好な無線伝送が可能となる。ここで、先細とは、広辞苑に記載されているとおり「先端の方が細いこと」を意味し、カバーは裾部から頂上部に亘って連続して細くなるように形成されている。
【００１５】
本発明の一形態においては、カバーが、中空円錐状または中空角錐状に形成されている。上記の構成によれば、カバーの頂上部が尖塔状となるため、カバーの頂上部に鳥または虫がとまることを防止することができる。
【００１６】
好ましくは、カバーの外表面に、外表面に付着した液体がカバーの頂上部からカバーの裾部に向けて分岐されながら流れるようにする分岐部が形成されている。上記の構成によれば、カバーの外表面に付着した雨または雪解け水などを分岐部に沿って分散させて流すことにより、効率的に雨または雪解け水などを排出することができる。
【００１７】
本発明の一形態においては、カバーの外表面に、カバーの頂上部からカバーの裾部の全周に亘って放射状に凸部または凹部が互いに間隔を置いて配置された分岐部が形成されている。上記の構成により、カバーの外表面に付着した雨または雪解け水などを分岐部に沿って流すことにより、カバーの外表面の表面張力を軽減し、雨または雪解け水によるアンテナ部における電波の受信伝搬損失を低減することができる。
【００１８】
本発明の一形態においては、カバーの外表面に、複数のΛ字状の凸部または凹部が互いに間隔を置いて配置された分岐部が形成されている。上記の構成により、カバーの外表面に付着した雨または雪解け水などを分岐部に沿って分散させて流すことにより、効率的に雨または雪解け水などを排出することができる。その結果、カバーの外表面の表面張力を軽減し、雨または雪解け水によるアンテナ部における電波の受信伝搬損失を低減することができる。
【００１９】
本発明の一形態においては、カバーは、それぞれ平面で構成された２つの傾斜面を含み、２つの傾斜面は、互いに０°より大きく６０°以下の角度を成すように交差している。上記の構成により、カバーの頂上部が先鋭状となるため、カバーの頂上部に鳥または虫がとまることを抑制することができる。
【００２０】
好ましくは、カバーを加熱するヒータが設けられている。上記の構成により、カバー上に降った雪を溶かして流すことができる。
【発明の効果】
【００２１】
急勾配の傾斜面を含み上方に行くほど細くなる先細形状を成すカバーをアンテナ部の上方に配置することにより、カバー上に雨または雪が溜まりにくく、かつ、カバー上に鳥または虫などがとまりにくくすることができる。その結果、アンテナ部における電波の受信伝搬損失を低減することができる。
【図面の簡単な説明】
【００２２】
【図１】本発明の実施形態１に係るミリ波送受信装置の取付構造を模式的に示す図である。
【図２】(Ａ)は、本実施形態のミリ波受信装置の構造を模式的に示す上面図であり、(Ｂ)は、その断面図である。
【図３】本実施形態に係るカバーを模式的に示す斜視図である。
【図４】(Ａ)は、本実施形態の変形例に係るミリ波受信装置の構造を模式的に示す上面図であり、(Ｂ)は、その断面図である。
【図５】本実施形態の変形例に係るカバーを模式的に示す斜視図である。
【図６】本発明の実施形態２に係るカバーの外観を模式的に示す側面図である。
【図７】(Ａ)は、本実施形態の一の例のカバーにおける、図６のＶＩＩ−ＶＩＩ線矢印方向から見た断面図であり、(Ｂ)は、本実施形態の二の例のカバーにおける、図６のＶＩＩ−ＶＩＩ線矢印方向から見た断面図であり、(Ｃ)は、本実施形態の三の例のカバーにおける、図６のＶＩＩ−ＶＩＩ線矢印方向から見た断面図である。
【図８】本実施形態の変形例に係るカバーを模式的に示す側面図である。
【図９】(Ａ)は、本実施形態の一の変形例のカバーにおける、図８のＩＸ−ＩＸ線矢印方向から見た断面図であり、(Ｂ)は、本実施形態の二の変形例のカバーにおける、図８のＩＸ−ＩＸ線矢印方向から見た断面図であり、(Ｃ)は、本実施形態の三の変形例のカバーにおける、図８のＩＸ−ＩＸ線矢印方向から見た断面図である。
【図１０】(Ａ)は、本発明の実施形態３に係るミリ波受信装置のカバーの構造を模式的に示す斜視図であり、(Ｂ)は、(Ａ)のＸＢ−ＸＢ線矢印方向から見た断面図である。
【図１１】従来のミリ波送受信装置の取付構造を模式的に示す図である。
【図１２】(Ａ)は、従来のミリ波受信装置の構造を模式的に示す上面図であり、(Ｂ)は、その断面図である。
【発明を実施するための形態】
【００２３】
以下、この発明に基づいた実施形態１に係るミリ波受信装置、ミリ波受信装置の取付構造およびミリ波送受信装置について、図を参照しながら説明する。
実施形態１
図１は、本発明の実施形態１に係るミリ波送受信装置の取付構造を模式的に示す図である。図１に示すように、本実施形態に係るミリ波送受信装置３においては、建造物８の屋上から側方に突出して設けられたアーム４の先端の下面に、ミリ波送信装置１が配置されている。ミリ波送信装置１は、下方に向けて電波７を送信するように設定されている。ミリ波送信装置１から送信された電波７は、指向性を有し、図１に示すように、僅かに広がりながら下方に伝搬していく。本実施形態に係るミリ波送受信装置３は、６０ＧＨｚ帯のミリ波帯の無線伝送を行なうものである。
【００２４】
一方、各階のベランダ６から側方に数１０ｃｍ突出して設けられたアーム５の先端の上面に、ミリ波受信装置２が配置されている。複数のミリ波受信装置２は、それぞれミリ波送信装置１に対向するように配置されている。ミリ波受信装置２には、電波７を受信するアンテナ部が設けられている。
【００２５】
複数のミリ波受信装置２のアンテナ部は、電波７の到達領域の中に配置され、かつ、電波７の送信方向にアンテナ部を投影した場合に、アンテナ部同士が重ならないように配置されている。本実施形態においては、アンテナ部としてレンズアンテナを用いたが、平面アンテナおよびホーンアンテナなどを用いてもよい。
【００２６】
図２(Ａ)は、本実施形態のミリ波受信装置の構造を模式的に示す上面図であり、(Ｂ)は、その断面図である。図２(Ｂ)においては、説明の便宜上、ミリ波送信装置１についても模式的に記載している。図３は、本実施形態に係るカバーを模式的に示す斜視図である。
【００２７】
図２(Ａ)，（Ｂ）に示すように、本実施形態に係るミリ波受信装置２は、ベース部材１３の上面にレンズアンテナ９が載置されている。レンズアンテナ９を覆うように、レンズアンテナ９の上方にカバー１０が配置されている。レンズアンテナ９は、ベース部材１３の上面とカバー１０の内面とにより形成された空間内に配置されている。
【００２８】
ベース部材１３の側面に出力端子１１が設けられている。出力端子１１は、回路基板１２ａ、アンテナ一体化回路素子１２ｂおよび図示しない回路を経由してレンズアンテナ９に結線されている。レンズアンテナ９で受信された無線信号は、上記回路によって増幅およびダウンコンバートされて、出力端子１１から出力される。
【００２９】
図３に示すように、本実施形態に係るカバー１０は、中空円錐形状に形成されている。よって、カバー１０は、先細形状を成し、上記空間が上方に行くほど狭くなるような一定の勾配を有する１つの傾斜面から構成されている。
【００３０】
ここで、カバー１０の傾斜面とベース部材１３の上面との成す角をβとし、カバー１０の頂上部１０ａにおける傾斜面の内面側の角度をαとする。βを６０°以上９０°以下の角度に設定したため、αは６０°以下となっている。本実施形態においては、カバー１０の頂上部１０ａが尖っているが、多少の丸みを有していていもよい。
【００３１】
寒地土木研究所月報，Ｎｏ．６５８，２００８年３月号の４．１項目の難着雪法に記載されているように、６０°以上の勾配を有する傾斜面には雪が付着しにくい。そのため、βが６０°以上９０以下であるカバー１０を用いることにより、カバー１０上に降った雪を落下し易くすることができる。
【００３２】
また、αを６０°以下とすることにより、カバー１０の頂上部１０ａは先鋭状の形状となるため、鳥および虫などがカバー１０の頂上部１０ａ上にとまることができなくすることができる。
【００３３】
カバー１０の材料としては、耐候性を有するポリプロピレンを用いた。また、レンズアンテナ９における電波７の受信強度が低下しないために、カバー１０の厚さを１ｍｍ以上２ｍｍ以下とした。
【００３４】
カバー１０の表面に雨および雪が付着しにくくするため、カバー１０の表面に親水性能または疎水性能を持たせることが好ましい。そのため、カバー１０を親水性を有する材質または超撥水性質を有する材質で形成してもよい。または、カバー１０の表面をサンドペーパで処理したようなざら目状とする、もしくは、カバー１０の表面にワックスなどを塗布することにより、カバー１０上に付着した水滴が細かく流れ易くすることが好ましい。
【００３５】
さらに、カバー１０を加熱する図示しないヒータを設けてもよい。たとえば、カバー１０にコイル状のヒータを、コイル間隔が１ｃｍ以上となるようにらせん状に設けてもよい。このようにした場合、カバー１０上に雪が降った場合に、ヒータによりカバー１０を暖めることによりカバー１０上の雪を溶かすことができる。そのため、カバー１０上に雪が堆積することを防止することができる。
【００３６】
コイル間隔を１ｃｍ以上としたのは、電波７の波長が５ｍｍ程度であるため、コイルを波長以下の間隔で設けた場合には、ヒータがスパイラルアンテナのような機能を有してしまい、電波７の受信を阻害する恐れがあるためである。
【００３７】
本実施形態においては、カバー１０の上下方向が鉛直方向となり、かつ、ベース部材１３の上面と平行な方向が水平方向となるように、ミリ波受信装置２が取り付けられている。レンズアンテナ９の頂上部９ａと中心部９ｂとは、鉛直方向の同一直線上に位置するように配置されている。
【００３８】
レンズアンテナ９の頂上部９ａおよび中心部９ｂは、ミリ波送信装置１から送信された電波７の到達領域内に位置するように配置されている。また、カバー１０の頂上部１０ａが、ミリ波送信装置１から送信された電波７の到達領域内に位置するように配置されている。なお、図２(Ｂ)においては、２本の二点鎖線で示した矢印の間の領域が、電波７の到達領域である。
【００３９】
アンテナ部は、電波の送受信方向に指向性を有している。図２(Ｂ)においては、２本の二点鎖線の間の指向領域７７が、レンズアンテナ９の受信感度の高い領域である。また、半球状のレンズアンテナ９の頂上部９ａは、上記の指向性を決定する部分、つまりアンテナ部の利得性能を決める重要部（急所）である。
【００４０】
本実施形態においては、円錐状のカバー１０の頂上部１０ａとレンズアンテナ９の中心点９ｂとが、レンズアンテナ９の指向領域７７内に存在している。カバー１０の頂上部１０ａが尖塔形状を有しているため、指向領域７７内のカバー１０上に、水滴や雪が積もることおよび鳥などが止まったりすることを抑制することができる。その結果、カバー１０によってレンズアンテナ９の受信を妨げる障害物を指向領域７７内から排除して、レンズアンテナ９の受信性能を高く維持することができる。
【００４１】
上記のような位置関係に、ミリ波送信装置１およびミリ波受信装置２からなるミリ波送信装置を配置することにより、ミリ波送信装置１から発信された電波７をミリ波受信装置２が受信する際の受信伝搬損失を低減することができる。
【００４２】
具体的には、レンズアンテナ９の伝送性能を決定するレンズアンテナ９の頂上部９ａと中心部９ｂとを結んだ鉛直方向上方に、カバー１０の頂上部１０ａが位置している。カバー１０は上記の形状を有しているため、カバー１０上に降った雨および雪はカバー１０上に付着しにくく、また、鳥および虫などもカバー１０上にとまりにくい。
【００４３】
その結果、カバー１０上から電波７の受信を妨げる雨、雪、鳥および虫などを排除することができるため、ミリ波受信装置２の電波７の受信伝搬損失を低減することができる。
【００４４】
図４(Ａ)は、本実施形態の変形例に係るミリ波受信装置の構造を模式的に示す上面図であり、(Ｂ)は、その断面図である。図４(Ｂ)においては、説明の便宜上、ミリ波送信装置１についても模式的に記載している。図５は、本実施形態の変形例に係るカバーを模式的に示す斜視図である。
【００４５】
図４(Ａ),(Ｂ)および図５に示すように、変形例のミリ波受信装置においては、カバー１４が中空四角錘状に形成されている。それに対応して、ベース部材１５は、平面的に見て、矩形状に形成されている。カバー１４は、４つの傾斜面を有している。
【００４６】
カバー１４の傾斜面とベース部材１５の上面との成す角をβとし、カバー１４の頂上部１４ａにおける対向した傾斜面同士の成す角をαとする。βを６０°以上９０°以下の角度に設定したため、αは６０°以下となっている。本実施形態においては、カバー１４の頂上部１４ａが尖っているが、多少の丸みを有していていもよい。
【００４７】
レンズアンテナ９の中心点９ｂおよびカバー１４の頂上部１４ａは、ミリ波送信装置１から送信された電波７の到達範囲内に位置するように配置されている。具体的には、レンズアンテナ９の頂上部９ａと中心部９ｂとを結んだ鉛直方向上方に、カバー１４の頂上部１４ａが位置している。カバー１４は上記の形状を有しているため、カバー１４上に降った雨および雪はカバー１４上に付着しにくく、また、鳥および虫などもカバー１４上にとまりにくい。
【００４８】
その結果、カバー１４上から電波７の受信を妨げる雨、雪、鳥および虫などを排除することができるため、ミリ波受信装置２の電波７の受信伝搬損失を低減することができる。
【００４９】
なお、変形例においては、中空四角推形状を有するカバー１４について説明したが、中空三角錐形状などの他の中空角錐形状としてもよい。また、レンズアンテナ９の上部に半球状のカバーを設け、さらにその上方に本実施形態に係るカバー１０，１４を設けてもよい。つまり、カバーを二重に配置してもよい。このようにした場合にも、ミリ波受信装置２の受信伝搬損失の低減を図ることができる。
【００５０】
以下、この発明に基づいた実施形態２に係るミリ波受信装置、ミリ波受信装置の取付構造およびミリ波送受信装置について、図を参照しながら説明する。
実施形態２
図６は、本発明の実施形態２に係るカバーの外観を模式的に示す側面図である。図７(Ａ)は、本実施形態の一の例のカバーにおける、図６のＶＩＩ−ＶＩＩ線矢印方向から見た断面図であり、図７(Ｂ)は、本実施形態の二の例のカバーにおける、図６のＶＩＩ−ＶＩＩ線矢印方向から見た断面図であり、図７(Ｃ)は、本実施形態の三の例のカバーにおける、図６のＶＩＩ−ＶＩＩ線矢印方向から見た断面図である。
【００５１】
図６，７に示すように、中空円錐状の形状を有するカバー１７の外表面に分岐部２０が、カバー１７の頂上部からカバー１７の裾部の全周に亘って放射状に第１分岐部１８および第２分岐部１９が交互に互いに間隔を置いて配置されている。第１分岐部１８は、第２分岐部１９よりカバー１７の頂上部に近い位置から形成されている。第１分岐部１８および第２分岐部１９の幅は、１ｍｍ程度とした。
【００５２】
本実施形態の一の例のカバー１７においては、図７(Ａ)に示すように、第１分岐部１８は凸部１８ａからなり、第２分岐部１９は、凸部１９ａからなる。凸部１８ａおよび凸部１９ａは、断面が矩形状である。
【００５３】
本実施形態の二の例のカバー１７においては、図７(Ｂ)に示すように、第１分岐部１８は凸部１８ｂからなり、第２分岐部１９は、凸部１９ｂからなる。凸部１８ｂおよび凸部１９ｂは、断面が三角形状である。
【００５４】
本実施形態の三の例のカバー１７においては、図７(Ｃ)に示すように、第１分岐部１８は凹部１８ｃからなり、第２分岐部１９は、凹部１９ｃからなる。凹部１８ｃおよび凹部１９ｃは、断面が三角形状である。
【００５５】
上記の断面形状を有する分岐部２０を設けることにより、カバー１７上の表面張力を低減して、水滴が球形になることを防止することができる。その結果、カバー１７に付着した液体は、カバー１７上を流れ易くなる。また、カバー１７の外表面に付着した雨または湿った雪などの液体がカバーの頂上部からカバーの裾部に向けて分岐しながら流すことにより、大量の雨が降った場合にも、分散して効率よく雨を流すことができる。
【００５６】
カバー１７の頂上部の近傍における、互いに隣接する第１分岐部１８同士の間の最も狭い間隔Ｌ1は、１ｃｍ程度とした。また、隣接する第１分岐部１８と第２分岐部１９との間の最も狭い間隔Ｌ2は、１ｃｍ程度とした。これは、雨などの液体が、複数の分岐部に跨って存在する場合、カバー１７の表面張力が大きくなって、カバー１７上を液体が流れにくくなることを防止するためである。通常、雨の直径は数ｍｍであるため、分岐部２０同士の間隔を１ｃｍ程度以上とすることにより、上記の状況を防止することができる。
【００５７】
図８は、本実施形態の変形例に係るカバーを模式的に示す側面図である。図９(Ａ)は、本実施形態の一の変形例のカバーにおける、図８のＩＸ−ＩＸ線矢印方向から見た断面図であり、図９(Ｂ)は、本実施形態の二の変形例のカバーにおける、図８のＩＸ−ＩＸ線矢印方向から見た断面図であり、図９(Ｃ)は、本実施形態の三の変形例のカバーにおける、図８のＩＸ−ＩＸ線矢印方向から見た断面図である。
【００５８】
図８，９に示すように、中空円錐状の形状を有するカバー２１の外表面に複数のΛ(ラムダ)字状の分岐部２２が、互いに間隔を置いて配置されている。分岐部２２の幅は、１ｍｍ程度とした。
【００５９】
本実施形態の一の例のカバー２１においては、図９(Ａ)に示すように、分岐部２２は凸部２２ａからなる。凸部２２ａは、断面が矩形状である。
【００６０】
本実施形態の二の例のカバー２１においては、図９(Ｂ)に示すように、分岐部２２は凸部２２ｂからなる。凸部２２ｂは、断面が三角形状である。
【００６１】
本実施形態の三の例のカバー２１においては、図９(Ｃ)に示すように、分岐部２２は凹部２２ｃからなる。凹部２２ｃは、断面が三角形状である。
【００６２】
上記の断面形状を有する分岐部２２を設けることにより、カバー２１上の表面張力を低減して、水滴が球形になることを防止することができる。その結果、カバー２１に付着した液体は、カバー２１上を流れ易くなる。また、カバー２１の外表面に付着した雨または湿った雪などの液体は、Λ字状の分岐部２２により２方向に分岐される。本実施形態においては、Λ字状の分岐部２２の二つの端部の下方に、二つの分岐部２２が配置され、その配置関係が、カバーの頂上部から裾部に向けて繰り返されている。
【００６３】
上記の分岐部２２により、カバー２１の頂上部からカバー２１の裾部に向けて液体を次々に分岐しながら流すことにより、大量の雨が降った場合にも、分散して効率よく雨を流すことができる。
【００６４】
上記の分岐部は一例であって、分岐部の形状、配置、大きさなどは適宜変更可能である。分岐部は、カバーの外表面に分岐部を設けることにより、カバーの外表面に付着した液体がカバーの頂点部からカバーの裾部に向けて分岐されながら流れるものであればよい。その他の構成については、実施形態１と同様であるため説明を繰り返さない。
【００６５】
以下、この発明に基づいた実施形態３に係るミリ波受信装置について、図を参照しながら説明する。
実施形態３
図１０(Ａ)は、本発明の実施形態３に係るミリ波受信装置のカバーの構造を模式的に示す斜視図であり、(Ｂ)は、図１０(Ａ)のＸＢ−ＸＢ線矢印方向から見た断面図である。図１０(Ａ)に示すように、本発明の実施形態３に係るカバー２３は、それぞれ平面で構成された２つの傾斜面２４，２５と、傾斜面２４と傾斜面２５とにより挟まれる２つの側面とから構成されている。
【００６６】
図１０(Ｂ)に示すように、傾斜面２４と傾斜面２５との成す角αは、６０°以下となるように形成されている。また、図示しないベース部材の上面と傾斜面２４および傾斜面２５との成す角は、６０°以上９０°以下となるように形成されている。本実施形態においては、カバー２３の頂上部が尖っているが、多少の丸みを有していていもよい。
【００６７】
上記の形状を有するカバー２３を設けることにより、カバー２３上に降った雪を落下し易くすることができる。また、αを６０°以下とすることにより、カバー２３の頂上部は先鋭状の形状となるため、鳥および虫などがカバー２３の頂上部上にとまることができなくすることができる。その他の構成については、実施形態１または２と同様であるため、説明を繰り返さない。
【００６８】
なお、今回開示した上記実施形態はすべての点で例示であって、限定的な解釈の根拠となるものではない。したがって、本発明の技術的範囲は、上記した実施形態のみによって解釈されるものではなく、特許請求の範囲の記載に基づいて画定される。また、特許請求の範囲と均等の意味および範囲内でのすべての変更が含まれる。
【符号の説明】
【００６９】
１，３１  ミリ波送信装置、２，３２  ミリ波受信装置、３，３３  ミリ波送受信装置、４，５，３４，３５  アーム、６，３６  ベランダ、７，３７  電波、８，３８  建造物、９，３９  レンズアンテナ、１０，１４，１７，２１，２３，４０  カバー、１１，４１  出力端子、１２ａ，４２ａ  回路基板、１２ｂ，４２ｂ  アンテナ一体化回路素子、１３，１５，４３  ベース部材、１８，１９，２０，２２  分岐部、１８ａ，１８ｂ，１９ａ，１９ｂ，２２ａ，２２ｂ  凸部、１８ｃ，１９ｃ，２２ｃ  凹部、２４，２５  傾斜面。
【図１】
2011124790.tif 000003
【図２】
2011124790.tif 000004
【図３】
2011124790.tif 000005
【図４】
2011124790.tif 000006
【図５】
2011124790.tif 000007
【図６】
2011124790.tif 000008
【図７】
2011124790.tif 000009
【図８】
2011124790.tif 000010
【図９】
2011124790.tif 000011
【図１０】
2011124790.tif 000012
【図１１】
2011124790.tif 000013
【図１２】
2011124790.tif 000014